(57)【特許請求の範囲】
【請求項１】
導電バーが差し込まれる凹状端子部を形成した電気機器を収納する電気機器収納用箱であって、複数の前記導電バーを固定する固定部と、
前記導電バーの一側部から該電気機器を挿入する際、該導電バーの他側部と当接する当接部を、該筺体に備えることを特徴とする電気機器収納用箱。
【請求項２】
前記導電バーは、前記筺体の底面と平行面への投影上で、略９０°の角度を有するＬ字形状部分を有し、その一端部に電源線と接続する電源線接続部を有することを特徴とする請求項１記載の電気機器収納用箱。
【請求項３】
前記導電バーはプラグイン挿入部と電源線接続部を備え、該プラグイン挿入部を積層し、該電源線接続部を前記筺体の底面と平行面への投影上で、各々ずらして配置したことを特徴とする請求項２記載の電気機器収納用箱。
【請求項４】
前記導電バーを、前記筐体内でその壁面に沿って配置したことを特徴とする請求項１から３の何れかに記載の電気機器収納用箱。
【請求項５】
前記電気機器が、複数の凹状端子部を有する電気機器であって、その各極が差し込まれる各導電バーが、同一形状を有することを特徴とする請求項１から３の何れかに記載の電気機器収納用箱。
【請求項６】
前記筐体の壁面を、前記当接部としたことを特徴とする請求項４記載の電気機器収納用箱。
【発明の詳細な説明】
【技術分野】
【０００１】
本発明は、電気機器収納用箱に関するものである。
【背景技術】
【０００２】
電気機器収納用箱内にブレーカや計測機器・通信機器等の電気機器を収納する際、その配線作業の手間を省く手段として、これらの電気機器に凹状端子部を形成するとともに、筺体内に導電バーを固定配置し、この凹状端子部に前記の導電バーを差し込んで接続（プラグイン接続）する技術が広く採用されている。
【０００３】
上記の従来技術では、凹状端子部に導電バーを差し込む際に導電バーが動かないように、導電バーの両側を、バーホルダ等の固定部材を用いて、筐体内に固定配置している（例えば、特許文献１）。
【０００４】
しかし、上記の従来技術では、筺体内に、この固定部材の占有スペースを導電バーの両側に不可避的に確保せざるを得ず、筺体のコンパクト化の妨げになっているという問題があった。
【先行技術文献】
【特許文献】
【０００５】
【特許文献１】特開２０１３−１８７９８２号公報
【発明の概要】
【発明が解決しようとする課題】
【０００６】
本発明の目的は前記の問題を解決し、この導電バーに電気機器の凹状端子部を差し込んで接続する構造を有する電気機器収納用箱において、導電バーの両側を支持することなく筐体内に固定し、筐体をコンパクト化できる技術を提供することである。
【課題を解決するための手段】
【０００７】
本発明では、上記課題を解決するための手段として、導電バーが差し込まれる凹状端子部を形成した電気機器を収納する電気機器収納用箱において、複数の前記導電バーを支持する固定部と、前記導電バーの一側部から該電気機器を挿入する際、該導電バーの他側部と当接する当接部を、該筺体に備えるという構成を採用した。
【０００８】
請求項２記載の発明のように、前記導電バーは、前記筺体の底面と平行面への投影上で、略９０°の角度を有するＬ字形状部分を有し、その一端部に電源線と接続する電源線接続部を有するものであることが好ましい。
【０００９】
また、請求項３記載の発明のように、前記導電バーはプラグイン挿入部と電源線接続部を備え、該プラグイン挿入部を積層し、該電源線接続部をずらして配置することが好ましい。
【００１０】
また、請求項４記載の発明のように、前記導電バーは、前記筐体内でその壁面に沿って配置することが好ましく、請求項６記載の発明のように、前記筐体の壁面を、前記当接部として使用することが更に好ましい。
【００１１】
また、請求項５記載の発明のように、前記電気機器が、複数の凹状端子部を有する電気機器の場合には、その各極が差し込まれる各導電バーが、同一形状を有することが好ましい。
【発明の効果】
【００１２】
本発明では、導電バーが差し込まれる凹状端子部を形成した電気機器を収納する電気機器収納用箱において、複数の前記導電バーを支持する固定部と、前記導電バーの一側部から該電気機器を挿入する際、該導電バーの他側部と当接する当接部を、該筺体に備える、という構成を採用しているため、従来技術のように、導電バーの両側にバーホルダ等の固定部材を使用することなく、導電バーを筐体内に固定配置することで筺体のコンパクト化を図ることができる。
【００１３】
請求項２記載の発明のように、前記導電バーが、前記筺体の底面と平行面への投影上で、略９０°の角度を有するＬ字形状部分を有し、その一端部に電源線と接続する電源線接続部を有することを特徴とする構成を採用することにより、導電バーを筐体内に省スペースで配置することができる。
【００１４】
請求項３記載の発明のように、前記導電バーはプラグイン挿入部と電源線接続部を備え、該プラグイン挿入部を積層し、該電源線接続部を前記筺体の底面と平行面への投影上で、各々ずらして配置することにより、省スペース化を実現するとともに、電源線接続部に電源線をネジ固定する際の作業性を向上させることができる。
【００１５】
請求項４記載の発明のように、導電バーを、筐体内でその壁面に沿って配置する構成とすると、導電バーと壁面が近接配置され、導電バーと壁面間に余剰なスペースを生むことなく、筺体内を有効に活用することができる。
【００１６】
請求項５記載の発明のように、前記電気機器が、複数の凹状端子部を有する電気機器の場合には、その各極が差し込まれる各導電バーが、同一形状を有する構成を採用することにより、電気機器収納用箱の製造コストを抑制することができる。
【００１７】
請求項６記載の発明のように、筐体の壁面を、当接部として使用する構成を採用する場合には、当接部を新たに成形する必要がなくなるため、電気機器収納用箱の製造コストを抑制することができる。
【図面の簡単な説明】
【００１８】
【図１】（実施形態１）電気機器を収納していない状態における筐体の全体斜視図である。
【図２】（実施形態１）電気機器を収納した状態における筐体の全体斜視図である。
【図３】（実施形態１）導電バーの他の形状を説明する垂直断面図である。
【図４】（実施形態２）電気機器を収納していない状態における筐体の上面図である。
【図５】（実施形態３）電気機器を収納していない状態における筐体の全体斜視図である。
【発明を実施するための形態】
【００１９】
以下に本発明の好ましい実施形態を示す。
【００２０】
（実施形態１）
本実施形態の電気機器収納用箱は、図１に示すように、筺体１内の壁面５に沿って、２極分の導電バー２が固定配置されている。また、筐体１の底面の一方側には電気機器３をスライドさせて取付けるための機器取付孔１８を設け、他方側には端子部及び配線孔１７を設けるものとした。端子部としては、後述する導電バー２の電源線接続部１２と図示しない電源線とを接続し、導電バーを固定する固定部である入線用端子台１０、及びアース端子部１９を設けるものとした。入線用端子部１５とアース端子部１６との間に形成された配線孔１７は、図示しない電源線の入線及び出線に使用されるものである。
【００２１】
図２に示すように、この筺体１内に収納される電気機器３には、この導電バー２にプラグイン接続される凹状端子部４が形成されている。電気機器３を筐体１内に収納する作業は、この凹状端子部４に導電バー２を差し込むだけの簡単な作業で完了することができる。本発明において、電気機器３の種類は特に限定されず、ブレーカ、避雷器、通信装置、計測装置など任意の電気機器を収納する電気機器収納用箱に適用することができる。
【００２２】
電気機器３は、この導電バー２の一側部６から挿入される。電気機器３の挿入時、導電バー２に対しても、その挿入方向に力が加わるが、本実施形態では、導電バー２の他側部７と当接する当接部８を、筺体１に備えているため、この当接部８でその力を受けることができ、この力に起因する導電バー２の回転を防止することができる。
また、このような構成を採用することにより、従来技術のように、導電バー２の両側にバーホルダ等の固定部材を使用することなく、導電バー２を筐体内に固定配置することで、筺体１のコンパクト化を図ることができる。
【００２３】
また、本実施形態では、電気機器３を引き抜く際の導電バー２の回転防止の為に、導電バー２を端子の片側に形成した当接壁１５に当接させている。当接壁１５により電気機器３の引抜時の力を受けることで、導電バー２の回転を防止することができる。
【００２４】
本実施形態では、当接部８として、筐体１の壁面５に凸状部分を形成している。その他の実施形態として、筐体１の壁面５に凸状部分を設けず、フラットな状態のまま当接部８として利用したり、壁面５に薄板状の当接部材を重ねて当接部８とすることもできる。
【００２５】
図２及び図３のように、導電バー２は、筐体１内でその壁面５に沿って配置することにより、導電バー２と壁面５間に余剰なスペースを生むことなく、筺体１内を有効に活用することができる。また、それぞれの導電バー２は、同一の略Ｌ字形状（筺体の底面と平行面への投影上で、略９０°の角度を有するＬ字形状）を有し、長辺部分を、電気機器３の凹状端子部４とプラグイン接続されるプラグイン挿入部９として使用し、短辺部分を、配線孔１７から入線した電源線を接続する電源線接続部１２として使用している。また、導電バー２の略Ｌ字角部には、導電バー２を入線用端子台１０に固定するためのバー固定ネジ１６を設けるものとした。本実施形態では、各極の接続位置に段差を設けた入線用端子台１０を使用し、２極分の導電バー２のプラグイン挿入部９部分が上下に積層するように配置されているが、前記のように、それぞれの導電バー２を同一の略Ｌ字形状に形成しているため、導電バー２を筐体内に省スペースで配置することができるとともに、電源線接続部１２を、筺体の底面と平行面への投影上で、各々ずらして配置することができ、電源線接続部１２において容易に電源線を接続することができるものとなる。なお、固定部は筐体と一体に成型されてもよいし、別体の端子台を筐体に固定するものであってもよいものとする。
【００２６】
なお、導電バー２の形状は、上記構造に限定されず、例えば、図３に示すように、略Ｌ字に配置されたプラグイン挿入部９と電源線接続部１２との高さに段差が形成されるように、プラグイン挿入部９と電源線接続部１２の接合部分に段差部１３を形成した構造として、段差のない入線用端子台１０との組み合わせで使用することもできる。段差のない入線用端子台１０とすることで、電源線接続部１２のネジを締付けるためのドライバーを容易に端子ネジにアクセスすることができる。また、何れの形態においても各導電バー２のプラグイン挿入部９の電源線接続部１２の反対側に延びる端部を同一位置で揃えたものとしてもよい。そうすれば、電気機器３を、電気機器３の各極の端子部の配置に関係なく導電バー２に接続することができる。
【００２７】
（実施形態２）
本実施形態では、図４に示すように、略Ｌ字形状を有する導電バー２のプラグイン挿入部９部分を、筺体１の側壁面１４と当接する長さとして、当接部８として、筺体１の側壁面１４に、このプラグイン挿入部９の先端部分が係止される凹状部分を形成している。
【００２８】
本実施形態によれば、図４の紙面の上方向および下方向の双方から、プラグイン挿入部９に電気機器３を挿入することができ、電気機器３の挿入時および引抜時に、其々、導電バー２に対して加わる力を、一つの当接部８で受けることができる。
【００２９】
（実施形態３）
本実施形態では、図５に示すように、当接部８として、入線用端子台１０に、略Ｌ字形状を有する導電バー２のうち略Ｌ字の内角部分と当接する箇所を形成している。本実施形態は、入線用端子台１０の配置位置に制限があり、上記実施形態１や２のような配置を採用できない場合等に有効な手段となる。
【符号の説明】
【００３０】
１  筺体
２  導電バー
３  電気機器
４  凹状端子部
５  壁面
６  一側部
７  他側部
８  当接部
９  プラグイン挿入部
１０  入線用端子台（固定部）
１２  電源線接続部
１３  段差部
１４  側壁面
１５  当接壁
１６  バー固定ネジ
１７  配線孔
１８  機器取付孔
１９  アース端子部
【図１】
0006347725.tif 000002
【図２】
0006347725.tif 000003
【図３】
0006347725.tif 000004
【図４】
0006347725.tif 000005
【図５】
0006347725.tif 000006